(57)【要約】【課題】歯間ブラシ部分を交換する際の交換が容易で、歯間ブラシの向きを使い易い方向に向けて使用でき、また携帯に便利なようにコンパクトに収納できるようにした歯間ブラシホルダーを提供する。【解決手段】歯間ブラシ１を取り付けたヘッド部２とブラシ回転部４と軸受部５とからなるブラシヘッド部Ａと、シャフト体６上端に前記ブラシヘッド部Ａの軸受部５を回転可能に軸支する軸受部７とシャフト体６下端の側面にスペーサ９を介して取り付けたスライド用ハンドル１０とからなるブラシスライド部Ｂと、前記ブラシヘッド部Ａとブラシスライド部Ｂとを嵌挿する筒状体１１と開口部１２とスリット１３と閉鎖部１５とからなるブラシホルダー部Ｃとを備え、前記ブラシヘッド部Ａとブラシスライド部Ｂがブラシホルダー部Ｃ内に装填される。【選択図】図１
2004194777.tif 000002
【特許請求の範囲】
【請求項１】
歯間ブラシ１を取り付けたヘッド部２と該ヘッド部２を嵌合接続するブラシ回転部４と水平軸孔５ａを備えた軸受部５とからなるブラシヘッド部Ａと、シャフト体６上端に前記ブラシヘッド部Ａの軸受部５を回転可能に軸支する支軸部７ａを備えた軸受部７とシャフト体６下端の側面にスペーサ９を介して取り付けたスライド用ハンドル１０とからなるブラシスライド部Ｂと、前記ブラシヘッド部Ａとブラシスライド部Ｂとを嵌挿する筒状体１１と該筒状体１１上端に開口部と該筒状体１１長手方向に該開口部１２の下側から下端開口部まで形成したスリット１３と下端開口部１４を閉鎖する閉鎖部１５とからなるブラシホルダー部Ｃとを備え、前記ブラシヘッド部Ａとブラシスライド部Ｂが、ブラシヘッド部Ａ側をブラシホルダー部Ｃの筒状体１１下端開口部１４側から挿入し且つスペーサ９をスリット１４内に沿って嵌挿しながら、ブラシホルダー部Ｃ内に装填され、該ブラシホルダー部Ｃ下端開口部１４が閉鎖部１５にて閉鎖されていることを特徴とする歯間ブラシホルダー。
【請求項２】
前記ブラシヘッド部Ａの軸受部５とブラシスライド部Ｂの軸受部７との回転周接界面には、ブラシヘッド部Ａの回転を一端停止させる所定間隔の複数凹凸嵌合部を備えることを特徴とする請求項１記載の歯間ブラシホルダー。
【請求項３】
前記ブラシスライド部Ｂのシャフト体６は、その上端にある軸受部７下部から下端部８まで、割りピン方式に分割された分割空間部８ａを備えていることを特徴とする請求項１又は請求項２記載の歯間ブラシホルダー。
【発明の詳細な説明】
【０００１】
【発明の属する技術分野】
本発明は、歯間ブラシホルダーに関し、歯間ブラシ部分が角度可変となっている構造の長柄状の歯間ブラシホルダーに関する。
【０００２】
【従来の技術】
歯間ブラシ部分が角度可変となっている構造の従来の長柄状の歯間ブラシホルダーとしては、ブラシホルダーの長手方向に対して直交方向に設けた支軸を介して歯間ブラシ部をブラシホルダーに回動可能に設けた構造のものがあり、歯間ブラシ部を長柄状の歯間ブラシホルダーに対して使い易い所定の角度に調整することができるようになっている。
【０００３】
【特許文献１】
特開平９−１２１９４２号公報
【特許文献２】
実公昭５４−５１６５号公報
【０００４】
【発明が解決しようとする課題】
また、上記のような従来の歯間ブラシホルダーは、歯間ブラシ部を交換する際には、ブラシホルダーから支軸部分を取り外して交換する必要があるが、その支軸部分をブラシホルダーから取り外す際に簡単に外すことができず、そのために時間が掛かったり、ブラシホルダー本体を破損したりして、交換が面倒であり、また歯間ブラシホルダーを旅行カバンなどに入れて携帯するような場合には、ホルダー部分が長柄状であるためにコンパクトに携帯できない不都合があった。
【０００５】
本発明の課題は、これらの不都合を解消することにあり、歯間ブラシ部分を交換する際の交換が容易で、歯間ブラシの向きを使い易い方向に向けて使用でき、また携帯に便利なようにコンパクトに収納できるようにした歯間ブラシホルダーを提供することにある。
【０００６】
【課題を解決するための手段】
本発明の請求項１に係る発明は、歯間ブラシ１を取り付けたヘッド部２と該ヘッド部２を嵌合接続するブラシ回転部４と水平軸孔５ａを備えた軸受部５とからなるブラシヘッド部Ａと、シャフト体６上端に前記ブラシヘッド部Ａの軸受部５を回転可能に軸支する支軸部７ａを備えた軸受部７とシャフト体６下端の側面にスペーサ９を介して取り付けたスライド用ハンドル１０とからなるブラシスライド部Ｂと、前記ブラシヘッド部Ａとブラシスライド部Ｂとを嵌挿する筒状体１１と該筒状体１１上端に開口部と該筒状体１１長手方向に該開口部１２の下側から下端開口部まで形成したスリット１３と下端開口部１４を閉鎖する閉鎖部１５とからなるブラシホルダー部Ｃとを備え、前記ブラシヘッド部Ａとブラシスライド部Ｂが、ブラシヘッド部Ａ側をブラシホルダー部Ｃの筒状体１１下端開口部１４側から挿入し且つスペーサ９をスリット１４内に沿って嵌挿しながら、ブラシホルダー部Ｃ内に装填され、該ブラシホルダー部Ｃ下端開口部１４が閉鎖部１５にて閉鎖されていることを特徴とする歯間ブラシホルダーである。
【０００７】
本発明の請求項２に係る発明は、上記請求項１に係る歯間ブラシホルダーにおいて、前記ブラシヘッド部Ａの軸受部５とブラシスライド部Ｂの軸受部７との回転周接界面には、ブラシヘッド部Ａの回転を一端停止させる所定間隔の複数凹凸嵌合部を備えることを特徴とする歯間ブラシホルダーである。
【０００８】
本発明の請求項３に係る発明は、上記請求項１又は請求項２に係る歯間ブラシホルダーにおいて、前記ブラシスライド部Ｂのシャフト体６は、その上端にある軸受部７下部から下端部８まで、割りピン方式に分割された分割空間部８ａを備えていることを特徴とする歯間ブラシホルダーである。
【０００９】
【発明の実施の形態】
本発明の歯間ブラシホルダーの実施の形態を、図１（ａ）に示す全体斜視図及び図１（ｂ）に示す部分斜視図に沿って以下に詳細に説明する。
【００１０】
本発明の歯間ブラシホルダーは、ブラシヘッド部Ａとブラシスライド部Ｂとブラシホルダー部Ｃとにより構成されていて、ブラシヘッド部Ａは、歯間ブラシ１を取り付けたヘッド部２と、該ヘッド部２を嵌合接続するブラシ回転部４と、該ブラシ回転部４を軸線Ｏを回転中心として回転可能に支持する軸受部５とにより構成される。
【００１１】
歯間ブラシ１はヘッド部２に取り付けられ、該ヘッド部２はその嵌合部３（嵌合凸部又は嵌合凹部）をブラシ回転部４の嵌合部４ａ（嵌合凹部又は嵌合凸部）に嵌合でき、取り付け取り外し可能に嵌合接続していて、歯間ブラシ１の交換はヘッド部２毎にブラシ回転部４から取り外すことにより行うことができる。
【００１２】
ブラシスライド部Ｂは、シャフト体６と、その上端に前記ブラシヘッド部Ａの軸受部５を回転可能に軸支する支軸部７ａを備えた軸受部７と、シャフト体６下端の側面に、後述するスペーサ９（図２（ａ）、図３（ａ）参照）を介して取り付けたスライド用ハンドル１０とから構成される。
【００１３】
前記ブラシヘッド部Ａは、その軸受部５の水平軸孔５ａを、ブラシスライド部Ｂのシャフト体６の上端軸受部７の支軸７ｂに軸支されて、軸線Ｏを回転中心として回転可能に支持されている。
【００１４】
ブラシホルダー部Ｃは、前記ブラシヘッド部Ａとブラシスライド部Ｂとをその長手方向に直線状に真っ直ぐにした状態で嵌挿可能な筒内空間を備えた筒状体１１と、該筒状体１１上端に開口部１２と、該筒状体１１長手方向に、該開口部１２の下側から下端開口部１４まで形成したスリット１３と、下端開口部１４を閉鎖する閉鎖部１５とから構成される。
【００１５】
前記ブラシヘッド部Ａとブラシスライド部Ｂは、そのブラシヘッド部Ａ側を、ブラシホルダー部Ｃの筒状体１１の下端開口部１４側から挿入し、さらにブラシホルダー部Ｃのスライド用ハンドル１０を取り付けたスペーサ９を、そのハンドル１０を外側にしてスリット１４内に沿って嵌挿しながら、ブラシホルダー部Ｃ内に装填でき、該ブラシホルダー部Ｃの下端開口部１４は、閉鎖部１５を取り付け固定（又は嵌合）することにより閉鎖されている。
【００１６】
上記のような構造であるので、本発明の歯間ブラシホルダーは、図１（ａ）に示すように、ブラシホルダー部Ｃの側面にあるスライド用ハンドル１０を手指にて押しながらブラシホルダー部Ｃの筒状体１１の閉鎖部１５方向（図面下方の矢印方向）に移動させることにより、ブラシヘッド部Ａとブラシスライド部Ｂは図４（ａ）に示すように閉鎖部１５方向に移動し、ハンドル１０はスペーサ９によりスリット１３の下端部にて停止して、ブラシヘッド部Ａとブラシスライド部Ｂはブラシホルダー部Ｃの筒状体１１内に収納される。
【００１７】
また、スライド用ハンドル１０を手指にて押しながらブラシホルダー部Ｃの筒状体１１の開口部１２方向（図面上方の矢印方向）に移動させることにより、ブラシヘッド部Ａとブラシスライド部Ｂは図４（ｂ）に示すようにブラシホルダー部Ｃの筒状体１１の開口部１２方向に移動して、ハンドル１０はスペーサ９によりスリット１３の上端部にて停止して、ブラシヘッド部Ａがブラシホルダー部Ｃの筒状体１１上端開口部１２上方に図示するように露呈する。
【００１８】
図３（ａ）は、ブラシヘッド部Ａと該ブラシヘッド部Ａを回転可能に軸支するブラシスライド部Ｂの側面図、図３（ｂ）は、その正面図（ハンドル側から見た図）、図４（ａ）は、その側断面図、図４（ｂ）は、その正面断面図である。
【００１９】
前記スペーサ９は、シャフト体６に形成したスリット１３内に嵌挿可能なサイズであって、シャフト体６の下端８側面の１箇所に設けられ、該スペーサ９を介してスライド用ハンドル１０下端が取り付けられており、スペーサ９により離間するシャフト体６とスライド用ハンドル１０との対向内面は、少なくとも前記筒状体１１の厚み以上のクリアランス（対向間隔）を以て対向している。
【００２０】
なおシャフト体６の側面へのスペーサ９、ハンドル１０の取り付け方式としては、本発明においては特に限定されるものではなく適宜な方式を採用できるが、例えば、スペーサ９の一端部にハンドル１０を一体成形にて取り付けし、スペーサ９の他端部をシャフト体６の側面に形成した差込凹部（図示せず）に差し込むことにより組み立ててもよいし、シャフト体６側面にスペーサ９の一端部を一体成形にて取り付けし、該スペーサ９の他端部の差込凸部（図示せず）をハンドル１０の差込凹部（図示せず）に差し込むことにより組み立ててもよい。
【００２１】
ブラシヘッド部Ａのブラシスライド部Ｂに対する回転可能な支持構造については、ヘッド部２を嵌合接続するブラシ回転部４の下部には、水平軸孔５ａを備えた軸受部５を備え、該軸受部５には軸線Ｏを回転中心とする水平回転軸孔５ａを備えていて、該軸受部５はシャフト体６上端軸受部７の切欠部７ａ内に嵌入し、前記該軸孔５ａ内に、その両側から切欠部７ａの対向内面から水平に突出する軸線Ｏを回転中心とする支軸部７ａ、７ａが嵌入して回転可能に軸支されて、ブラシヘッド部Ａはブラシスライド部Ｂに対して軸線Ｏを回転中心として回転可能となっている。
【００２２】
また、前記ブラシスライド部Ｂのシャフト体６は、図３（ａ）又は図４（ａ）の側面図に示すように、その上端にある軸受部７下部から下端部８まで、割りピン方式に分割された分割空間部８ａを備えている。そして、例えば、必要に応じて、該分割空間部８ａ両側にあるシャフト体６側面は、多少外径方向に拡げて形成されていてブラシホルダー部Ｃの筒状体１１内面に密に周接できるようになっている。
【００２３】
また、前記ブラシスライド部Ｂのシャフト体６は、図３（ｂ）又は図４（ｂ）の正面図に示すように、例えば、その上端にある軸受部７下部に、部分的にシャフト体６の径が大きく突出した側面６ａを備えて、筒状体１１内面に密に周接できるようになっていてもよい。
【００２４】
ブラシヘッド部Ａは、その軸線Ｏを回転中心とする軸孔５ａと支軸部７ｂにより回転可能に支持されて、図１（ａ）に示すように歯間ブラシ１の向きを垂直方向乃至水平方向の適宜な方向に設定することができる。なおブラシヘッド部Ａの回転抵抗力は、軸孔５ａと支軸部７ｂとの間の周接クリアランスを狭く乃至緩くして、周接静止摩擦力を付与する方向又は付与しない方向に設定することにより調整することができる。
【００２５】
またブラシヘッド部Ａのブラシ回転部４にある軸受部５と軸受部７のそれぞれ周接側面又は外周面には、図４（ａ）〜（ｂ）に示すように、所定間隔に複数の凹凸嵌合部（例えば軸受部５側面の凹部５ｂと軸受部７内側面の凸部７ｃを備えて、各々凹凸嵌合により数カ所の回転角位置にて一旦停止できる停止ロック機構を設けるようにしてもよい。
【００２６】
なおブラシヘッド部Ａの回転動作は、ヘッド部２又はブラシ回転部４を直接手指で触れて押しながら回転させることができる。
【００２７】
図５は、本発明の歯間ブラシホルダー使用方法の説明図であり、前記図２（ｂ）に示したように、ブラシホルダー部Ｃ内から収納されているブラシヘッド部Ａを取り出し、ブラシヘッド部Ａを手指で回転させ、適宜な回転角度にて一旦停止させることにより、歯間ブラシ１の向きを、水平１８０度の範囲内にて適宜な角度（垂直〜水平）の姿勢に変化させることができる。
【００２８】
例えば、図５に示すように、ブラシヘッド部Ａを９０度の水平方向に回転させて、歯間ブラシ１の向きをブラシホルダー部Ｂの長手方向に対して９０度の水平方向の姿勢にすることにより、ホルダー部分を手で縦方向に持ちながら、歯間ブラシ１を略水平方向にして口腔内に挿入し、楽な姿勢で歯間の清掃を行うことができる。
【００２９】
上記ブラシヘッド部Ａに取り付けられた歯間ブラシ１を取り替え交換する場合は、ブラシヘッド部Ａの歯間ブラシ１を取り付けたヘッド部２毎、ブラシ回転部４の嵌合部４ａから取り外して、新規な歯間ブラシ１を取り付けたヘッド部２をブラシ回転部４の嵌合部４ａに嵌合して取り付けでき、簡単に交換することができる。
【００３０】
【発明の効果】
本発明の歯間ブラシホルダーは、歯間ブラシ部分を交換する際には、ブラシヘッド部からヘッド部を取り外すことにより、歯間ブラシを簡単に取り外すことができ、また、取り付ける際には、新規な歯間ブラシを取り付けたヘッド部をブラシヘッド部に嵌合取り付けることができ、簡単に交換が可能である。
【００３１】
また本発明の歯間ブラシホルダーは、ブラシヘッド部とブラシスライド部と、該ブラシヘッド部とブラシスライド部とを収納できるブラシホルダー部から構成されているので、使用する際には、ブラシホルダー部内に収納されているブラシスライド部を、ブラシホルダー部内に沿ってスライドさせて、ブラシヘッド部をブラシホルダー部から突出させ、ブラシヘッド部の柄を伸長させて使い易くして取り出すことができる。
【００３２】
また本発明の歯間ブラシホルダーは、旅行カバンなどに入れて携帯するような場合には、ブラシヘッド部とブラシスライド部とを、ブラシホルダー部内にスライドさせて収納することができ、コンパクトに携帯できる効果がある。
【図面の簡単な説明】
【図１】（ａ）は本発明の歯間ブラシホルダーの全体斜視図、（ｂ）は部分斜視図。
【図２】（ａ）〜（ｂ）は本発明の歯間ブラシホルダーの収納方法と取り出し方法を説明する全体正面図。
【図３】（ａ）は本発明の歯間ブラシホルダーにおけるブラシヘッド部とブラシスライド部の全体側面図、（ｂ）はその正面図。
【図４】（ａ）は本発明の歯間ブラシホルダーにおけるブラシヘッド部とブラシスライド部の全体側断面面図、（ｂ）はその正面断面図。
【図５】本発明の歯間ブラシホルダーの使用例を説明する説明図。
【符号の説明】
Ａ…ブラシヘッド部  Ｂ…ブラシスライド部  Ｃ…ブラシホルダー部
Ｏ…回転軸線
１…歯間ブラシ  ２…ヘッド部  ３…嵌合部  ４…ブラシ回転部  ５…軸受部
６…シャフト体  ７…軸受部  ８…下端部  ９…スペーサ
１０…スライドハンドル  １１…筒状体  １２…上部開口部  １３…スリット
１４…下端開口部  １５…閉鎖部
【図１】
2004194777.tif 000003
【図２】
2004194777.tif 000004
【図３】
2004194777.tif 000005
【図４】
2004194777.tif 000006
【図５】
2004194777.tif 000007